(57)【要約】【課題】【解決手段】本発明は、制御チャネルを指示する指示情報に対してチャネル化処理をすることと、処理後の指示情報をユーザ装置ＵＥに送信することを含む制御チャネルの指示方法及び装置を開示する。ここで制御チャネルは、新たに増加した制御チャネル領域又は物理下り共有チャネルＰＤＳＣＨリソースにて開拓した新しい伝送制御情報のリソースにおける制御チャネルである。本発明によると、ＵＥが新たに増加した下り制御チャネルを検出できないという既存技術における課題を解決することができる。【選択図】図１
2014526208.tif 000002
【特許請求の範囲】
【請求項１】
制御チャネルを指示する方法であって、
制御チャネルを指示する指示情報に対してチャネル化処理をすることと、
処理後の指示情報をユーザ装置ＵＥに送信すること、
とを含み、
前記制御チャネルとは、新たに増加した制御チャネルエリア又は物理下り共有チャネルＰＤＳＣＨリソースにて開拓した新しい伝送制御情報のリソースにおける制御チャネルである、制御チャネルを指示する方法。
【請求項２】
前記処理後の指示情報をＵＥに送信してから、前記ＵＥが前記指示情報を受信し、前記指示情報により前記制御チャネルを検出することをさらに含む請求項１に記載の方法。
【請求項３】
前記指示情報は、
制御チャネルエリアの時間領域位置と、
前記制御チャネルエリアの周波数領域位置と、
前記制御チャネルエリアを指示する方法の種類と、
前記制御チャネル領域における前記制御チャネルのリソース割り当て方式と、
前記制御チャネルに積載した制御シグナリングとそのディスパッチのデ−タとの時間的なマッピング関係と、
の少なくとも１つを含む請求項１に記載の方法。
【請求項４】
前記チャネル化処理は、下記のようなコーディング、変調、レイヤマッピング、アンテナポートマッピングのチャネル化工程を含む請求項１に記載の方法。
【請求項５】
前記指示情報は所定の物理又は論理リソースに積載される請求項１または２に記載の方法。
【請求項６】
前記指示情報が所定の物理又は論理リソースに積載されることは、
前記指示情報が独自で前記物理又は論理リソースに積載されることと、
前記指示情報が巡回チェックサムＣＲＣ付で前記物理又は論理リソースに積載されること、及び
前記指示情報が他の制御情報とともに前記ＣＲＣ付で前記物理又は論理リソースに積載されること
の少なくとも１つを含む請求項５に記載の方法。
【請求項７】
前記物理又は論理リソースは、制御情報を伝送する物理下り制御チャネルＰＤＣＣＨの論理リソースＣＣＥ、又は前記ＰＤＳＣＨ上のリソースを含む請求項６に記載の方法。
【請求項８】
前記ＰＤＳＣＨ上のリソースは、前記ＰＤＣＣＨが占用する直交周波数分割多重ＯＦＤＭ符号以外の、他のＯＦＤＭ符号リソースを含む請求項６に記載の方法。
【請求項９】
前記指示情報が前記ＣＣＥに積載されるとき、前記指示情報を連続的なＣＣＥに積載し、前記指示情報の初期位置は、事前に定義した少なくとも１つのＣＣＥ番号の中１つであり、前記所定のＣＣＥは前記指示情報を積載するＣＣＥの数の整数倍である請求項６に記載の方法。
【請求項１０】
前記指示情報の初期位置は、
前記ＣＣＥ番号の最初、
前記ＣＣＥ番号の最後、
所定のアルゴリズムにより算出した一つの所定の位置、
のいずれか１つである請求項９に記載の方法。
【請求項１１】
前記ＵＥが前記指示情報を受信することは、
前記指示情報が単独で前記物理又は論理リソースに積載されるとき、前記ＵＥが前記ＣＣＥにおけるデ−タを取得して、所定の位置から前記チャネル化処理された情報デ−タを取り出し、デコードしてから前記指示情報を取得することと、
前記指示情報が巡回チェックサムＣＲＣ付きで前記物理又は論理リソースに積載されるとき、前記ＵＥが前記ＣＣＥにおけるデ−タを取得して、所定の位置から前記チャネル化処理された情報デ−タを取り出し、デコードしてから前記ＣＲＣチェックで取得した情報により、チェックにパスした情報が前記指示情報であると決定することと、
前記指示情報と他の制御情報とともに前記ＣＲＣ付で前記物理又は論理リソースに積載されるとき、前記ＵＥが前記ＣＣＥ上のデ−タを取得し、所定の位置から前記チャネル化処理した指示情報と前記他の制御情報デ−タを取り出し、デコードしてから前記ＣＲＣチェックで取得した情報により、チェックにパスした情報が前記指示情報と前記制御情報との共通情報であることを確定し、前記共通情報から前記指示情報を取得すること、
とを含む請求項１０に記載の方法。
【請求項１２】
前記指示情報が前記ＣＣＥに積載されるとき、前記指示情報を連続的なＣＣＥに積載し、前記指示情報の初期位置のＣＣＥ番号は前記指示情報を積載するＣＣＥの数の整数倍であり、事前に定義した少なくとも１つの可能な位置から１つの位置を選択する請求項６に記載の方法。
【請求項１３】
前記ＵＥが前記指示情報を受信することは、
前記指示情報がＣＲＣ付きで前記物理又は論理リソースに積載されるとき、前記ＵＥが前記ＣＣＥにおけるデ−タを取得して、事前に定義した前記少なくとも１つの可能な位置から前記チャネル化処理されたあらゆる可能な情報デ−タを取り出する試みをして、デコードしてから前記ＣＲＣチェックで取得した情報により、チェックにパスした情報が前記指示情報であると決定することと、
前記指示情報と他の制御情報とともに前記ＣＲＣ付で前記物理又は論理リソースに積載されるとき、前記ＵＥが前記ＣＣＥ上のデ−タを取得し、事前に定義した前記少なくとも１つの可能な位置から前記チャネル化処理したあらゆる可能な指示情報と前記他の制御情報デ−タを取り出す試みをして、デコードしてから前記ＣＲＣチェックで取得した情報により、チェックにパスした情報が前記指示情報と前記制御情報との共通情報であることを確定し、前記共通情報から前記指示情報を取得すること、とを含む請求項１２に記載の方法。
【請求項１４】
前記指示情報が前記ＰＤＳＣＨ上のリソースに積載される場合、アンテナポートにマッピングした前記指示情報のデ−タを前記ＰＤＳＣＨエリアにおける所定の位置にマッピングして、前記所定の位置は現在システムの帯域幅及びセルのアイデンティティＩＤにより決定される請求項６に記載の方法。
【請求項１５】
前記アンテナポートにマッピングした前記指示情報のデ−タを前記ＰＤＳＣＨ領域における所定の位置にマッピングすることは、マッピング待ちの符号をグルーピングして、それぞれのグループにｍ３個の符号を含み、１つのグループの符号がそれおぞれ１つの近接リソース単位に対応するようにマッピングすることを含み、前記ｍ３は所定の数で、前記マッピング待ち符号をマッピングする前記近接リソース単位間の間隔は所定の間隔である請求項１４に記載の方法。
【請求項１６】
前記ＰＤＳＣＨ上のリソースは、前記ＰＤＣＣＨが占用する直交周波数分割多重ＯＦＤＭ符号以外の、他のＯＦＤＭ符号リソースを含む請求項１に記載の方法。
【請求項１７】
制御チャネルを指示する装置であって、
制御チャネルを指示する指示情報に対してチャネル化処理をする処理モジュールと、
処理後の指示情報をユーザ装置ＵＥに送信する送信モジュールと
を含み、
前記制御チャネルとは、新たに増加した制御チャネル領域又は物理下り共有チャネルＰＤＳＣＨリソースにて開拓した新しい伝送制御情報のリソースにおける制御チャネルである、制御チャネルを指示する装置。
【請求項１８】
前記処理モジュールは、さらに前記指示情報が所定の物理又は論理リソースに積載されるように配置される請求項１７に記載の装置。
【請求項１９】
前記処理モジュールは、さらに前記指示情報が、
独自で前記物理又は論理リソースに積載されることと、
巡回チェックサムＣＲＣ付で前記物理又は論理リソースに積載されること、及び
他の制御情報とともに前記ＣＲＣ付で前記物理又は論理リソースに積載されることの少なくとも１つの所定の物理又は論理リソースに積載されるように配置される請求項１８に記載の装置。
【請求項２０】
前記処理モジュールは、さらに、前記指示情報が前記ＣＣＥに積載されるとき、前記指示情報を連続的なＣＣＥに積載し、前記指示情報の初期位置は事前に定義した少なくとも１つのＣＣＥ番号の中１つであり、前記事前に定義したＣＣＥは前記指示情報を積載するＣＣＥの数の整数倍であるように配置される請求項１９に記載の装置。
【請求項２１】
前記処理モジュールは、さらに、前記指示情報が前記ＰＤＳＣＨ上のリソースに積載される場合、アンテナポートにマッピングした前記指示情報のデ−タを前記ＰＤＳＣＨエリアにおける所定の位置にマッピングして、前記所定の位置は現在システムの帯域幅及びセルのアイデンティティＩＤにより決定されるように配置される請求項１９に記載の装置。
【請求項２２】
前記処理モジュールは、さらにマッピング待ち符号をグルーピングして、それぞれのグループにｍ３個の符号を含み、１つのグループの符号がそれぞれ１つの近接リソース単位に対応するようにマッピングするように配置され、前記ｍ３は事前に定義した数であり、前記マッピング待ち符号の前記近接リソース単位間の間隔は所定の間隔である請求項２１に記載の装置。
【発明の詳細な説明】
【技術分野】
【０００１】
本発明は通信分野に関し、具体的には、制御チャネルを指示する方法及び装置に関するものである。
【背景技術】
【０００２】
長期的進化（Long Term Evolution、ＬＴＥ）システムには、２種類のフレーム構成があり、フレーム構成のタイプ（Type）１は周波数分割複信（Frequency Division Duplex、ＦＤＤ）と周波数分割半複信に適用する。それぞれの無線フレームの長さは１０ｍｓであり、２０個のスロット（slot）からなり、それぞれのスロットは０．５ｍｓであり、０から１９まで番号が付けられている。その中、例えば、サブフレームｉが連続的なスロット２iと２i +１からなるというように、一つのサブフレーム（subframe）は２つの連続的なスロットからなる。半復信ＦＤＤと復信ＦＤＤとはいずれも、上がり・下りがそれぞれ異なる周波数にて伝送されるが、半復信ＦＤＤに対して、ＵＥがデ−タの受送信を同時に行うことができないことに対して、復信ＦＤＤは当該制限がなく、すなわち、１０ｍｓごとの間隔に下りサブフレームと上がりサブフレームがそれぞれ１０個有してもよい。
【０００３】
フレーム構造Ｔｐｙｅ２は時分割複信（Time Division Duplex、ＴＤＤ）に適用する。１つの無線フレームの長さは１０ｍｓで、２つの長さ５ｍｓのハーフフレーム（half-frame）からなる。１つのハーフフレームは、５つの長さ１ｍｓのサブフレームからなる。サポートするアップリンク・ダウンリンクの配置は表１に示すとおりであり、表には、「Ｄ」で当該サブフレームが下りサブフレーム、「Ｕ」で当該サブフレームが上げりサブフレーム、「Ｓ」で当該サブフレームが特殊サブフレーム（special subframe）であることを示す。特殊サブフレームは下り特殊サブフレーム（ＤｗＰＴＳ）、ガードインターバル（ＧＰ）及び上がり特殊サブフレーム（ＵｗＰＴＳ）からなり、総長さは１ｍｓである。それぞれのサブフレームiは２つの長さ０．５ｍｓ（１５３６０×Ｔｓ）のスロット２ｉと２ｉ+１からなる。
【０００４】
【表１】
2014526208.tif 000003
【０００５】
フレーム構造Ｔｐｙｅ２は５ｍｓと１０ｍｓという２種類の下り−上がり転換周期をサポートする。５ｍｓの上がり・下り転換周期において、２つのハーフフレームのいずれも特殊サブフレームがある。１０ｍｓの上がり・下り転換周期において、最初のハーフフレームしか特殊サブフレームがない。サブフレーム０、５及びＤｗＰＴＳは、通常下り伝送として予約されている。ＵｐＰＴＳと特殊サブフレームに続く次のサブフレームは往々として上がり伝送として予約されている。従って、５ｍｓの上がり・下り転換周期について、ＵｐＰＴＳ、サブフレーム２及びサブフレーム７が上がり伝送として予約され、１０ｍｓの上がり・下り転換周期について、ＵｐＰＴＳとサブフレーム２が上がり伝送として予約されている。
【０００６】
ＬＴＥにおいて以下のような３種類の下り物理制御チャネルが定義され、即ち、物理下り制御フォーマット指示チャネル（Physical Control Format Indicator Channel、ＰＣＦＩＣＨ）、物理ハイブリッド自動再送要求指示チャネル（Physical Hybrid Automatic Retransmission Request Indicator Channel、ＰＨＩＣＨ）、物理下り制御チャネル（Physical Downlink Control Channel、ＰＤＣＣＨ）である。
【０００７】
その中、ＰＣＦＩＣＨの積載する情報は、１つのサブフレームにてＰＤＣＣＨ伝送用の直交周波数分割多重（Orthogonal Frequency Division Multiplexing、ＯＦＤＭ）符号の数を指示することに用いられ、サブフレームの最初のＯＦＤＭ符号にて送信され、その周波数位置はシステム下り帯域幅とセルアイデンティティ（Identity、ＩＤと略称）によって決定される。
【０００８】
ＰＨＩＣＨは上がり伝送デ−タの肯定応答/否定応答（ＡＣＫ／ＮＡＣＫ）のフィードバック情報を積載することに用いる。ＰＨＩＣＨの数と時間周波数位置は、ＰＨＩＣＨのある下りキャリアの物理ブロードキャストチャネル（Physical Broadcast Channel、ＰＢＣＨ）におけるシステムメッセージとセルＩＤによって決定される。
【０００９】
ＰＤＣＣＨは、物理上り共有チャネル（Physical Uplink Shared Channel、ＰＵＳＣＨ）のディスパッチ情報、物理下り共有チャネル（Physical Downlink Shared Channel、ＰＤＳＣＨ）のディスパッチ情報及び上り電力制御情報を含む下り制御情報（Downlink Control Information、ＤＣＩ）を積載することに用いる。
【００１０】
ＦＤＤに対して、ＵＥがサブフレームｎにて当該ＵＥに属するＰＵＳＣＨが積載されたディスパッチ情報のＰＤＣＣＨチャネルを検出した、或いは当該ＵＥがサブフレームｎにて当該ＵＥに属するＰＵＳＣＨの対応するＰＨＩＣＨを受信した場合には、場合によって、ＵＥがサブフレームｎ+４にてＰＵＳＣＨのデ−タを送信することになる。
【００１１】
ＴＤＤに対して、アップリンク・ダウンリンクが１〜６と配置され、ＵＥがサブフレームｎにて当該ＵＥに属するＰＵＳＣＨのディスパッチ情報が積載されたＰＤＣＣＨチャネルを検出した、或いは当該ＵＥがサブフレームｎにて当該ＵＥに属するＰＵＳＣＨの対応するＰＨＩＣＨを受信した場合には、場合によって、ＵＥがサブフレームｎ+ＫにてＰＵＳＣＨのデ−タを送信することになる。ＴＤＤに対して、アップリンク・ダウンリンクが０と配置され、ＵＥがサブフレームｎにて当該ＵＥに属するＰＵＳＣＨのディスパッチ情報が積載されたＰＤＣＣＨチャネルを検出し、且つディスパッチ情報における上りインデックスＵＬ  Ｉｎｄｅｘシグナリングの高位が１である場合、或いは当該ＵＥがサブフレーム０とサブフレーム５にて当該ＵＥに属するＰＵＳＣＨの対応するＰＨＩＣＨを受信し、且つＩＰＨＩＣＨ=０である場合には、場合によって、ＵＥがサブフレームｎ+ｋにてＰＵＳＣＨのデ−タを送信することになる。ＵＥがサブフレームｎにて当該ＵＥに属するＰＵＳＣＨのディスパッチ情報が積載されたＰＤＣＣＨチャネルを検出し、且つディスパッチ情報における上りＵＬ  Ｉｎｄｅｘシグナリングの低位が１である場合、或いは当該ＵＥがサブフレーム０とサブフレーム５にて当該ＵＥに属するＰＵＳＣＨの対応するＰＨＩＣＨを受信し、且つＩＰＨＩＣＨ=１である場合には、場合によって、ＵＥがサブフレームｎ+７にてＰＵＳＣＨのデ−タを送信することになる。上述ｋ値は表２に示すとおりである。
【００１２】
【表２】
2014526208.tif 000004
【００１３】
ＬＴＥシステムのリリース（Release、Ｒ）８/９において、チャネルの品質に対する測定、及び受信したデ−タ符号に対する復調をするために、共通基準信号（Common Reference Signal、ＣＲＳ）を設定した。ユーザ装置（US Equipment、ＵＥ）は、ＣＲＳによりチャネルの測定をすることで、ＵＥのセル再選や目標セルへの切り替えがサポートされ、ＵＥのアクセス状態にてチャネル品質の測定が行われる。干渉レベルが高い時、物理層が高層の関連無線リンクを介して失敗シグナリングに接続し、アクセスを切断することができる。ＬＴＥＲ１０において、セルの平均スペクトルの利用率とセルエッジのスペクトルの利用率、及び各ＵＥのスループット率をさらに向上するために、チャネル情報基準信号（ＣＳＩ〜ＲＳ）と復調基準信号（ＤＭＲＳ）という２種類の基準信号をそれぞれ定義し、その中、ＣＳＩ〜ＲＳはチャネルの測定に用いられ、ＣＳＩ〜ＲＳに対する測定によりＵＥの基地局ｅＮＢにフィードバックすべくプリコーディング行列インデックス（Precoding Matrix Indicator、ＰＭＩ）、チャネル品質情報指示（Channel Quality Indicator、ＣＱＩ）及びランク指示（Rank Indicator、ＲＩ）を算出する。ＤＭＲＳは下り共有チャネルの復調に用いられ、ＤＭＲＳ復調を利用して、ビームによって異なる受信側や異なるセル間の干渉を減少し、コードブックの粒度による性能低下を軽減して、下り制御シグナリングのオーバーヘッドをある程度削減することができる。
【００１４】
ＬＴＥＲ８、Ｒ９とＲ１０において、物理下り制御チャネルは、主に１つのサブフレームの前から１番目、２番目又は３番目のＯＦＤＭに分布し、実際の分布は、表３に示すように、異なるサブフレームのタイプとＣＲＳのポート数によって配置することになる。
【００１５】
【表３】
2014526208.tif 000005
【００１６】
実行する際に、それぞれの受信側は、受信した符号の前から３つの符号に対して盲検し、盲検の初期位置と制御チャネルの元素数は、受信側に割り当てた無線ネットワークの仮のアイデンティティや様々な制御情報によるものである。通常、制御情報は、公共の制御情報と独自の制御情報とがあり、公共の制御情報が、物理下り制御チャネルの共用検索空間に配置され、独自の制御情報がすべての共用空間と独自の検索空間に配置される。受信側は盲検の後、現在サブフレームには、共用システムメッセージ、下りディスパッチ又は上りディスパッチ情報があるか否かを決定する。このような下り制御情報は、ハイブリッド自動再送要求（Hybrid Automatic Repeat、ＨＡＲＱ）フィードバックがないので、検出した符号誤り率がなるべく低いことを確保する必要がある。
【００１７】
より大きな動作スペクトルとシステム帯域幅を取得するために、一つの解決案として、異なるバンドに分布された幾つかの継続的コンポーネントキャリア（スペクトル）（Component Carrier）がキャリアアグリゲーション（Carrier Aggregation）技術によって集まれ、例えば１００ＭＨｚのようなＬＴＥ−Advancedの使用可能な帯域幅が形成されることが挙げられる。集まれたスペクトルに対して、ｎ個のコンポーネントキャリア（スペクトル）に区割され、それぞれのコンポーネントキャリア（スペクトル）内のスペクトルは連続的なものである。スペクトルは、プライマリコンポーネントキャリア（ＰＣＣ）とサブコンポーネントキャリア（ＳＣＣ）（プライマリセルとサブセルともいう）という２種類に区割される。
【００１８】
ＬＴＥ  Ｒ１０異種ネットワークにおいて、異なるタイプの基地局間に強い干渉があるので、マクロ基地局（Ｍａｃｒｏ  ｅＮｏｄｅＢ）がピコ基地局（Ｐｉｃｏ）に対する干渉、及びホーム基地局（Ｈｏｍｅ  ｅＮｏｄｅＢ）がマクロ基地局（Ｍａｃｒｏ  ｅＮｏｄｅＢ）に対する干渉という課題に対して、リソースミューティングの方法によって、異なるタイプの基地局間の相互干渉を解決することが提案され、具体的には、リソースミューティング方法は、デ−タ空白サブレー無（Almost Blank Subframe、ＡＢＳ）のようなサブフレームに基づくミューティング（Muting）方法と、ＣＲＳミューティングのようなリソース要素に基づく方法がある。
【００１９】
しかし、上記方法は、リソースの無駄遣いになるのみならず、ディスパッチには大きな制限をもたらすことになり、特にＭａｃｒｏ  ｅＮｏｄｅＢのＡＢＳ配置を考慮する時、Ｐｉｃｏの分布が多いと、Ｍａｃｒｏ  ｅＮｏｄｅＢの配置するＡＢＳが多くなるので、Ｍａｃｒｏ  ｅＮｏｄｅＢに大きな影響を与え、リソースの無駄遣いを増やしたとともに、ディスパッチの遅延になり、そしてＣＲＳリソースとデ−タリソースとの干渉を解決できないし、ミューティングＣＲＳの方法に対してもデ−タリソース間の干渉を解決することができない。また、上記方法の後方互換性が悪く、アクセス遅延を増すとともに、より多くの標準化に関する工夫が必要とされる。
【００２０】
ＬＴＥ  Ｒ１１段階でより多くのユーザのＰＤＳＣＨエリアにてデ−タを送信することを導入して考える場合、現在配置した最大４つのＯＦＤＭ符号の容量が需要に応えないことがあるので、経済的で容量が大きい制御チャネルを提供するために、強化した制御チャネルエリアを設計する、又はＰＤＳＣＨリソースにて新しい伝送制御情報のリソースを開拓することが必要とされる。しかし、現在、新しいリソースにおける制御情報の伝送方式についての規定がなく、古いリリースの制御情報の伝送方式は新しいリソースにおける制御の伝送の正確性を確保することができない。
【００２１】
現在、関連技術において、新しいリソースにおける制御情報の伝送方式についての規定がなく、古いリリースの制御情報の伝送方式は新しいリソースにおける制御の伝送の正確性を確保することができないという課題について、いままで効果的な解決案が提出されていない。
【発明の概要】
【発明が解決しようとする課題】
【００２２】
本発明は、現在新しいリソースにおける制御情報の伝送方式についての規定がなく、古いリリースの制御情報の伝送方式では新しいリソースにおける制御情報の伝送の正確性を確保することができないという課題を少なくとも解決するために、制御チャネルを指示する方法及び装置を提供することをその主な目的としている。
【課題を解決するための手段】
【００２３】
本発明の一つの方面によると、制御チャネルを指示する指示情報に対してチャネル化処理をして、処理後の指示情報をユーザ装置（ＵＥ）に送信することことを含む制御チャネルの指示方法を提供し、前記制御チャネルとは、新たに増加した制御チャネルエリア、又は物理下り共有チャネル（ＰＤＳＣＨ）リソースにて開拓した新しい伝送制御情報のリソースにおける制御チャネルである。
【００２４】
前記処理後の指示情報をＵＥに送信してから、前記ＵＥが前記指示情報を受信し、前記指示情報により前記制御チャネルを検出することをさらに含むことが好ましい。
【００２５】
前記指示情報は、制御チャネルエリアの時間領域位置、前記制御チャネルエリアの周波数領域位置、前記制御チャネルエリアを指示する方法の種類、前記制御チャネルエリアにおける前記制御チャネルのリソース割り当て方式、前記制御チャネルに積載した制御シグナリングとそのディスパッチのデ−タとの時間的なマッピング関係の少なくとも１つを含むことが好ましい。
【００２６】
前記チャネル化処理は、下記のようなコーディング、変調、レイヤマッピング、アンテナポートマッピングのチャネル化工程を含むことが好ましい。
【００２７】
前記指示情報は所定の物理又は論理リソースに積載されることが好ましい。
【００２８】
前記指示情報が所定の物理又は論理リソースに積載されることは、前記指示情報が独自で前記物理又は論理リソースに積載されることと、前記指示情報が巡回チェックサム（ＣＲＣ）付で前記物理又は論理リソースに積載されること、及び前記指示情報が他の制御情報とともに前記ＣＲＣ付で前記物理又は論理リソースに積載されることを含むことが好ましい。
【００２９】
前記物理又は論理リソースは、制御情報を伝送する物理下り制御チャネル（ＰＤＣＣＨ）の論理リソース（ＣＣＥ）、又は前記ＰＤＳＣＨ上のリソースを含むことが好ましい。
【００３０】
前記ＰＤＳＣＨ上のリソースは、前記ＰＤＣＣＨが占用する直交周波数分割多重（ＯＦＤＭ）符号以外の他のＯＦＤＭ符号リソースを含むことが好ましい。
【００３１】
前記指示情報が前記ＣＣＥに積載されるとき、前記指示情報を連続的なＣＣＥに積載し、前記指示情報の初期位置は、事前に定義した少なくとも１つのＣＣＥ番号の中の１つであり、前記所定のＣＣＥは前記指示情報を積載するＣＣＥの数の整数倍であることが好ましい。
【００３２】
１つのＣＣＥ番号しか予約しない場合、前記指示情報の初期位置は、前記ＣＣＥ番号の最初、前記ＣＣＥ番号の最後、所定のアルゴリズムにより算出した一つの指定位置のいずれか１つであることが好ましい。
【００３３】
前記ＵＥが前記指示情報を受信することは、前記指示情報が独自で前記物理又は論理リソースに積載される場合、前記ＵＥが前記ＣＣＥ上のデ−タを取得し、指定位置から前記チャネル化処理した指示情報デ−タを取り出し、デコードしてから前記指示情報を取得することと、前記指示情報が巡回チェックサム（ＣＲＣ）付で前記物理又は論理リソースに積載される場合、前記ＵＥが前記ＣＣＥ上のデ−タを取得して、所定の位置から前記チャネル化処理した指示情報デ−タを取り出し、デコードしてから前記ＣＲＣチェックで取得した情報によりチェックにパスした情報が前記指示情報であることを確定することと、前記指示情報と他の制御情報とともに前記ＣＲＣ付で前記物理又は論理リソースに積載される場合、前記ＵＥが前記ＣＣＥ上のデ−タを取得し、所定の位置から前記チャネル化処理した指示情報と前記他の制御情報デ−タを取り出し、デコードしてから前記ＣＲＣチェックで取得した情報により、チェックにパスした情報が前記指示情報と前記制御情報との共通情報であることを確定し、前記共通情報から前記指示情報を取得することを含むことが好ましい。
【００３４】
前記指示情報が前記ＣＣＥに積載されるとき、前記指示情報を連続的なＣＣＥに積載し、前記指示情報の初期位置のＣＣＥ番号は前記指示情報を積載するＣＣＥの数の整数倍であり、事前に定義した少なくとも１つの可能な位置から１つの位置を選択することが好ましい。
【００３５】
前記ＵＥが前記指示情報を受信することは、前記指示情報がＣＲＣ付で前記物理又は論理リソースに積載される場合、前記ＵＥが前記ＣＣＥ上のデ−タを取得して、事前に定義した少なくとも１つの位置から前記チャネル化処理した指示情報デ−タを取り出す試みをして、デコードしてから前記ＣＲＣチェックで取得した情報によりチェックにパスした情報が前記指示情報であることを確定することと、前記指示情報が他の制御情報とともに前記ＣＲＣ付で前記物理又は論理リソースに積載される場合、前記ＵＥが前記ＣＣＥ上のデ−タを取得して、事前に定義した少なくとも１つの位置から前記チャネル化処理した指示情報と前記他の制御情報のデ−タを取り出す試みをして、デコードしてから前記ＣＲＣチェックで取得した情報によりチェックにパスした情報が前記指示情報と前記制御情報の共通情報であることを確定し、前記共通情報から前記指示情報を取得することと、を含むことが好ましい。 
【００３６】
前記指示情報が前記ＰＤＳＣＨ上のリソースに積載される場合、アンテナポートにマッピングした前記指示情報のデ−タを前記ＰＤＳＣＨエリアにおける所定の位置にマッピングして、前記所定の位置は現在システムの帯域幅及びセルのアイデンティティ（ＩＤ）により決定されることが好ましい。
【００３７】
前記アンテナポートにマッピングした前記指示情報のデ−タを前記ＰＤＳＣＨエリアにおける所定の位置にマッピングすることは、マッピング待ちの符号をグルーピングして、それぞれのグループにｍ３個の符号を含み、１つのグループの符号が１つの近接リソース単位に対応するようにマッピングして、前記ｍ３は所定の数で、前記マッピング待ち符号をマッピングする前記近接リソース単位間の間隔は所定の間隔であることが好ましい。
【００３８】
前記ＰＤＳＣＨ上のリソースは、前記ＰＤＣＣＨが占用するＯＦＤＭ符号以外の他のＯＦＤＭ符号リソースを含むことが好ましい。
本発明のもう一つの方面によると、制御チャネルを指示する指示情報に対してチャネル化処理をする処理モジュールと、処理後の指示情報をユーザ装置ＵＥに送信する送信モジュールとを含む制御チャネルを指示する装置を提供し、前記制御チャネルとは、新たに増加した制御チャネルエリア又は物理下り共有チャネルＰＤＳＣＨリソースにて開拓した新しい伝送制御情報のリソースにおける制御チャネルである。
【００３９】
前記処理モジュールは、さらに指示情報が所定の物理又は論理リソースに積載されるように配置されることが好ましい。
【００４０】
前記処理モジュールは、さらに前記指示情報が、独自で前記物理又は論理リソースに積載されることと、前記指示情報が巡回チェックサム（ＣＲＣ）付で前記物理又は論理リソースに積載されること、及び前記指示情報が他の制御情報とともに前記ＣＲＣ付で前記物理又は論理リソースに積載されることの少なくとも１つの所定の物理又は論理リソースに積載されるように配置されることが好ましい。
【００４１】
前記処理モジュールは、さらに、前記指示情報が前記ＣＣＥに積載されるとき、前記指示情報を連続的なＣＣＥに積載し、前記指示情報の初期位置は事前に定義した少なくとも１つのＣＣＥ番号の中の１つであり、前記事前に定義したＣＣＥは前記指示情報を積載するＣＣＥの数の整数倍であるように配置されることが好ましい。
【００４２】
前記処理モジュールは、さらに、前記指示情報が前記ＰＤＳＣＨ上のリソースに積載される場合、アンテナポートにマッピングした前記指示情報のデ−タを前記ＰＤＳＣＨエリアにおける所定の位置にマッピングして、前記所定の位置は現在システムの帯域幅及びセルのアイデンティティ（ＩＤ）により決定されるように配置されることが好ましい。
【００４３】
前記処理モジュールは、さらにマッピング待ち符号をグルーピングして、それぞれのグループにｍ３個の符号を含み、１つのグループにおける符号が１つの近接リソース単位に対応するようにマッピングして、前記ｍ３は事前に定義した数であり、前記マッピング待ち符号の前記近接リソース単位間の間隔は所定の間隔であるように配置されることが好ましい。
【００４４】
本発明の実施例において、ＵＥが新しい制御リソースにおける情報を正確且つ便利に受信することを確保するために、新しい指示情報を設定し、新しい指示情報で制御情報を指示し、後続のＵＥが指示情報により、制御情報を検出することができ、新しいリソースにおける情報の正確且つ便利な受信が実現される。
【図面の簡単な説明】
【００４５】
ここで説明する図面は本発明がさらに理解されるように提供したもので、本出願の一部分を構成し、本発明の例示的な実施例及びその説明は本発明を解釈するためのもので、本発明に対する不適当な限定にならない。
【００４６】
【図１】本発明の実施例に係わる制御チャネルを指示する方法を示す処理フローチャートである。
【図２】本発明の実施例２に係わる周波数領域位置情報の位置と大いさを示す図である。
【図３】本発明の実施例に係わる情報ビットが固定サイズに足りない場合、余りの位置が０で補充することを示す図である。
【図４】（Ａ）は、本発明の実施例に係わる指示情報がデ−タ化処理される第１種類のフローチャート、（Ｂ）は、本発明の実施例に係わる指示情報がデ−タ化処理される第２の種類のフローチャートである。
【図５】本発明の実施例における実施例１０に係わるＣＲＣが追加されない指示情報の処理フローチャートである。
【図６】本発明の実施例における実施例１０に係わる指示情報がＣＣＥにおける位置を示す図である。
【図７】本発明の実施例における実施例１１に係わるＣＲＣが追加さた指示情報の処理フローチャート図である。
【図８】本発明の実施例における実施例１１に係わる指示情報がＣＣＥにおける位置を示す図である。
【図９】本発明の実施例における実施例１２に係わる指示情報と他の制御情報とともにＣＲＣが追加される処理フローチャート図である。
【図１０】本発明の実施例における実施例１２に係わる指示情報がＣＣＥにおける位置を示す図である。
【図１１】本発明の実施例における実施例１３に係わるアンテナポートにマッピングされたデ−タがＰＤＳＣＨエリアにおける所定の位置にマッピングされることを示す図である。
【図１２】本発明の実施例に係わる制御チャネルを指示する装置の構造を示す図である。
【発明を実施するための形態】
【００４７】
以下、図面を参照し、実施例を結び合わせて、本発明を詳しく説明する。なお、本願の実施例および実施例の特徴は、衝突がない場合には、互いに組み合わせることが可能である。
【００４８】
関連技術において、ＬＴＥ  Ｒ１１段階でより多くのユーザのＰＤＳＣＨエリアにてデ−タを送信することを導入して考える場合、現在配置した最大４つのＯＦＤＭ符号の容量が需要に応えないことがあるので、経済的で容量が大きい制御チャネルを提供するために、強化した制御チャネルエリアを設計する、又はＰＤＳＣＨリソースにて新しい伝送制御情報のリソースを開拓することが必要とされることが提出されている。しかし、現在、新しいリソースにおける制御情報の伝送方式についての規定がなく、古いリリースの制御情報の伝送方式では新しいリソースにおける制御の伝送の正確性を確保することができない。
【００４９】
ＵＥが新しい制御リソースにおける情報を正確且つ便利に受信できることを確保するために、新しいリソースにて制御情報を伝送する方式に対してある必要な指示を行う。上述技術課題を解決するために、本発明の実施例において、制御チャネルを指示する方法を提供し、その処理プロセスは図１に示すように、Ｓ１０２〜Ｓ１０４を含む。
【００５０】
ステップ１０２について、制御チャネルを指示する指示情報をチャネル化処理をする。
ただし、ステップＳ１０２に係る制御チャネルは、新しく増加した制御チャネルエリア、又はＰＤＳＣＨリソースにて開拓された新しい伝送制御情報のリソースおける制御チャネルである。
【００５１】
ステップＳ１０４について、処理後の指示情報をユーザ装置ＵＥに送信する。
【００５２】
本発明の実施例において、ＵＥが新しい制御リソースにおける情報を正確且つ便利に受信することを確保するために、新しい指示情報を設定し、新しい指示情報で制御情報を指示し、後続のＵＥが指示情報により、制御情報を検出することができ、新しいリソースにおける情報の正確且つ便利な受信が実現される。
【００５３】
実行する際に、処理後の指示情報をＵＥに送信してから、ＵＥが指示情報を受信し、さらに指示情報により制御チャネルを検出することができる。指示情報に制御チャネルがない旨が指示された場合、リソース節約のため、ＵＥがＵＥに対する検出を不要とし、指示情報に制御チャネルが存在する旨が指示された場合、ＵＥが指示情報により制御チャネルの位置を探し、それに対して検出するようにして、指向性が強く、一つずつの検出や、他の方式によりすべてのリソースに対する検索が不要になり、同じくリソースを節約する目的を実現でき、ディスパッチＵＥの容量を増加することができる。
【００５４】
指示情報の目的は、制御チャネルを指示するように配置することであるため、指示情報は、制御チャネルエリアの時間領域位置や、制御チャネルエリアの周波数領域位置、前記制御チャネルエリアを指示する方法の種類（どんな方法で制御チャネルエリアを指示するかを説明する）、制御チャネルエリアにおけるリソース割り当ての方式、前記制御チャネルに積載した制御シグナリングとそのディスパッチのデ−タとの時間的なマッピング関係を支持することなどを含む、制御チャネルを指示する複数の情報である。実際に実行する際に、上述各種情報におけるいずれか一種類を指示情報としてもよいし、その中の任意の何種類かの組み合わせを指示情報としてもよく、その単独の情報又は組み合わせた情報により制御チャネルを指示する目的を実現できればよい。
【００５５】
以下は幾つかの実施例によって指示情報のタイプ及び対応する配置を詳しく説明する。
【００５６】
実施例１：本実施例において、指示情報は制御チャネルエリアの時間領域位置情報のみを含む。
【００５７】
例１、制御チャネルエリアは１番目のスロットにある場合
【００５８】
方法１
制御チャネルエリアは第１のスロットのＳ個目のＯＦＤＭ符号から連続的なｋ個目のＯＦＤＭ符号である。
応用１：Ｓ、Ｋは指示情報により提供；
応用２：Ｓは事前定義、Ｋは指示情報により提供；
応用３：Ｓは指示情報により提供、Ｋは事前定義。
【００５９】
方法２
制御チャネルエリアは第１のスロットの１番目のＯＦＤＭ符号から連続的なｋ個目のＯＦＤＭ符号で、ｋは指示情報により提供される。
【００６０】
例２：  制御チャネルエリアは２番目のスロットにある
【００６１】
方法１
制御チャネルエリアは２番目のスロットのＳ番目のＯＦＤＭ符号から連続的なｋ個のＯＦＤＭ符号である。
応用１：Ｓ、Ｋは指示情報により提供
応用２：Ｓは事前定義、Ｋは指示情報により提供
応用３：Ｓは指示情報により提供、Ｋは事前定義。
【００６２】
方法２
制御チャネルエリアは、２番目のスロットの１番目のＯＦＤＭ符号から連続的なｋ個のＯＦＤＭ符号であり、ｋは指示情報により提供。
【００６３】
例３、制御チャネルエリアは１番目、又は２番目のスロットにある。
【００６４】
指示情報により制御チャネルエリアのあるスロットを提供する。
【００６５】
実施例２：本実施例において指示情報は、制御チャネルエリアの周波数領域位置情報のみを含む。
【００６６】
例１、周波数領域エリアはｋ２個のこのようなサブ領域の和で、ここでは、いずれか１つのサブエリアとは、所定の初期位置から、昇順で連続的なｍ２×Ｐ２個資源ブロック（ＲＢ）で、Ｐ２は所定のもので、ｋ２個の初期位置は事前定義され、ｍ２は指示情報により提供される。その模式図は図２に示す通りである。
【００６７】
例２、ドキュメント３ＧＰＰ  ＴＳ  ３６．２１３においてのリソース割り当て（Ｒｅｓｏｕｒｃｅ  ａｌｌｏｃａｔｉｏｎ）で採用したＴｐｙｅ０/１/２に係わる方法を用いる。
【００６８】
実施例３：本実施例において、指示情報は制御チャネルエリアの周波数領域位置情報+制御チャネルエリアの指示方法である。
【００６９】
指示情報は周波数領域位置の指示を提供するとともに、周波数領域位置を指示する方法を提供する。
【００７０】
実際の応用について、基地局には様々な周波数領域位置を指示する方法が配置され、ＵＥが正確的な方法で基地局から提供された周波数領域位置の指示を理解する。こうすると、周波数領域位置に関する情報が得られる。
【００７１】
さらに、制御チャネルエリアを指示する方法は、ｂｉｔの０、１の組み合わせにより、ＵＥに、現在制御エリアを指示するには採用する方法を明確に知らせる。表４に示すとおりである。
【００７２】
【表４】
2014526208.tif 000006
表４
【００７３】
実施例４：本実施例において、指示情報は制御チャネルエリアの周波数領域位置情報+制御チャネルエリアにおける制御チャネルのリソース割り当て方式である。
【００７４】
実際の応用について、１つの制御チャネルが、制御チャネルエリアにて割り当てられた周波数領域リソースは、連続的なものでもよいし、分離したものでもよく、また、仮想分布式や他の制御チャネルリソースと織り合わせられたものでもよいので、多種類の配置があり、且つ予約がない場合、制御チャネルが制御チャネルエリアにおけるリソース割り当て方式を提示するべきである。
【００７５】
実施例５：本実施例において、指示情報は、制御チャネルエリアの周波数領域位置情報+制御チャネルエリアにおける制御チャネルのリソース割り当て方式である。
【００７６】
実施例６：本実施例において、指示情報は制御チャネルエリアの周波数領域位置情報+制御チャネルエリアを指示する方法+制御チャネルエリアにおける制御チャネルのリソース割り当て方式である。
【００７７】
実施例７：本実施例において、指示情報は制御チャネルエリアの時間領域位置情報+制御チャネルエリアを指示する方法+制御チャネルエリアにおける制御チャネルのリソース割り当て方式である。
【００７８】
実施例８：本実施例において、指示情報は制御チャネルエリアの時間領域位置情報+制御チャネルの積載された制御シグナリングとそれがディスパッチするデ−タとの時間的関係である。
【００７９】
実施例９：本実施例において、指示情報は制御チャネルエリアの周波数領域位置情報+制御チャネルの積載された制御シグナリングとそれがディスパッチするデ−タとの時間的関係である。
【００８０】
制御チャネルが第ｎのサブフレームにて送信し、制御チャネルから送信されたデ−タにより、第ｎ+ｋのフレームにて送信する。その中、ｋは指示情報により提供される。
【００８１】
さらに、指示情報は、０、１ｂｉｔの情報ストリングを形成する中で、所定のｂｉｔ数を得るために、プレースホルダｂｉｔを増やすことができる。プレースホルダｂｉｔは、０の形で、情報ストリングの最後にある。その模式図は図３を参照すること。
【００８２】
図１に示すプロセスにおいて、指示チャネルに対するシャネル化処理があり、そのうちの指示チャネルにおいて、下記のようなコーディング、変調、レイヤマッピング、アンテナポートマッピングのチャネル化工程を含んでもよい。指示情報は単独で存在することができないので、所定の物理又は論理リソースに積載される必要がある。指示情報を積載するリソースによって、対応する処理プロセスが異なる。例えば、指示情報がデ−タ化処理されるプロセスは図４Ａに示すように、制御チャネル指示情報を含むデ−タがコーディングされてから論理リソースに積載され、他のチャネル化処理を経て送信される。或いは図４Ｂに示すように、制御チャネル指示情報を含むデ−タがチャネル化処理されてから、物理リソースに積載し、処理されてから送信される。
【００８３】
実行する際に、指示情報が所定の物理又は論理リソースに積載されることは、様々な積載形式があってもよく、例えば、指示情報が独自で前記物理又は論理リソースに積載されてもよいし、指示情報の正確性を確保するために、指示情報が巡回チェックサムＣＲＣ付で物理又は論理リソースに積載されてもよく、さらにリソースを十分に利用し、リソースの無駄を防止するために、指示情報が他の制御情報とともに前記ＣＲＣ付で前記物理又は論理リソースに積載されてもよい。
【００８４】
好適な実施例において、物理又は論理リソースは、制御情報を伝送する物理下り制御チャネルＰＤＣＣＨの論理リソースＣＣＥ、又は物理下り共有チャネルＰＤＳＣＨ上のリソースから選ぶことができる。実行する際に、指示情報を積載し、ＵＥに送信できれば、他のリソースを採用してもよい。
【００８５】
その中、上記ＰＤＳＣＨ上のリソースは、ＯＦＤＭ符号リソースを採用することが好ましく、具体的には、ＰＤＣＣＨが占用するＯＦＤＭ符号以外の他のＯＦＤＭ符号リソースである。実行する際に、指示情報を積載し、ＵＥに送信できれば、他のリソースを採用してもよい。
【００８６】
その中、上記ＰＤＳＣＨ上のリソースは、ＯＦＤＭ符号リソースを採用することが好ましく、具体的には、ＰＤＣＣＨが占用するＯＦＤＭ符号以外の他のＯＦＤＭ符号リソースである。実際に応用する際に、指示情報を任意の使用可能なＯＦＤＭ符号に積載することができ、１つに限らず、例えば２つ、３つというように、使用可能なＯＦＤＭ符号の数を超えなければよい。
【００８７】
指示情報がＣＣＥに積載されるとき、指示情報が連続的なＣＣＥに積載され、前記指示情報の初期位置は事前定義した少なくとも１つのＣＣＥ番号の中の１つであり、事前定義したＣＣＥは指示情報を積載するＣＣＥの数の整数倍である。その中、事前定義した初期位置が１つしかない場合、指示情報の初期位置は、ＣＣＥ番号の最初、ＣＣＥ番号の最後、所定のアルゴリズムにより算出した所定の位置のいずれか１つであることが好ましい。所定のアルゴリズムは、３ＧＰＰ  ＴＳ  ３６．２１３においてＰＤＣＣＨの公共検索空間位置アルゴリズム、又は他の位置アルゴリズムが好ましく、実際の状況によって適切に選択することができる。また、指示情報の事前定義した初期位置は１つを超えた場合、事前定義の限られた数の可能なＣＣＥ番号は所定のアルゴリズムにより算出し、所定のアルゴリズムは、３ＧＰＰ  ＴＳ  ３６．２１３においてのＰＤＣＣＨの公共検索空間位置アルゴリズム、又は他の位置アルゴリズムが好ましく、実際の状況によって適切に選択することができる。
【００８８】
指示情報の物理又は論理リソースにおける積載方式によって、後続のＵＥが指示情報を受信後の処理方式が異なり、具体的には、以下のような状況を含む。
【００８９】
状況Ａ、指示情報が単独で物理又は論理リソースに積載されるとき、ＵＥがＣＣＥにおけるデ−タを取得して、所定の位置からチャネル化処理された情報デ−タを取り出し、デコードしてから指示情報を取得する。
【００９０】
状況Ｂ、指示情報がＣＲＣ付きで物理又は論理リソースに積載されるとき、ＵＥがＣＣＥにおけるデ−タを取得して、所定の位置からチャネル化処理された情報デ−タを取り出し、デコードしてからＣＲＣチェックで取得した情報により、チェックにパスした情報が指示情報であると決定する。
【００９１】
状況Ｃ、前記指示情報と他の制御情報とともに前記ＣＲＣ付で前記物理又は論理リソースに積載される場合、前記ＵＥが前記ＣＣＥ上のデ−タを取得し、所定の位置から前記チャネル化処理した指示情報と前記他の制御情報デ−タを取り出し、デコードしてから前記ＣＲＣチェックで取得した情報により、チェックにパスした情報が前記指示情報と前記制御情報との共通情報であると決定し、前記共通情報から前記指示情報を取得する。
【００９２】
上記状況Ａ〜Ｃは、事前定義した指示情報の初期位置が１つのＣＣＥ番号しかない場合について説明したものであるが、実際の応用において事前定義した指示情報の初期位置は１つのＣＣＥ番号を超えることもあり、このとき、情報の正確性が確保されるようにＣＲＣで情報をチェックしなければならない。具体的には、以下のような状況がある。
【００９３】
状況Ｄ、指示情報がＣＲＣ付きで物理又は論理リソースに積載されるとき、ＵＥがＣＣＥにおけるデ−タを取得して、所定の少なくとも１つの可能な位置からチャネル化処理されたあらゆる可能な情報デ−タを取り出す試みをして、デコードしてからＣＲＣチェックで取得した情報により、チェックにパスした情報が指示情報であると決定する。
【００９４】
状況Ｅ、指示情報と他の制御情報とともに前記ＣＲＣ付で前記物理又は論理リソースに積載される場合、前記ＵＥが前記ＣＣＥ上のデ−タを取得し、所定の少なくとも１つの可能な位置から前記チャネル化処理した指示情報と前記他の制御情報デ−タを取り出す試みをして、デコードしてから前記ＣＲＣチェックで取得した情報により、チェックにパスした情報が前記指示情報と前記制御情報との共通情報であると決定し、前記共通情報から前記指示情報を取得する。
【００９５】
実行する際に、指示情報がＰＤＳＣＨ上のリソースに積載される場合、アンテナポートにマッピングした指示情報のデ−タをＰＤＳＣＨエリアにおける所定の位置にマッピングして、前記所定の位置は現在システムの帯域幅及びセルのアイデンティティＩＤにより決定される。マッピングする符号をグルーピングして、それぞれのグループにｍ３個の符号を含み、各グループの符号がそれぞれ１つの近接リソース単位に対応するようにマッピングする。その中、ｍ３は所定の数で、符号がマッピングされた近接リソース単位間の間隔は所定の間隔である。後続処理において所定のルールに従う。
【００９６】
以下それぞれの場面を結合して、実施例を詳しく説明する。
場面１：ＵＥが検出した制御チャネルに関する指示情報をＰＤＣＣＨの使用する論理リソースＣＣＥに積載し、チャネル化処理されてから、送信する。
【００９７】
実施例１０：本例において指示情報にＣＲＣが追加されない。
ＵＥが制御チャネルの指示情報にＣＲＣが追加されていないと検出し、コーディングしてから、ＰＤＣＣＨの使用する論理リソースＣＣＥに積載し、チャネル化処理されてから、送信する。具体的な処理は、図５に示すように、制御チャネル指示情報がチャネルの誤り訂正符号化され、ＰＤＣＣＨの論理リソースＣＣＥに積載され、ＣＣＥ上のデ−タをスクランブリング、変調、レイヤマッピング、及びアンテナポートへのデ−タマッピング、並びにアンテナポートにおけるデ−タより物理リソースへのマッピングをしてから、ＵＥに送信する。
【００９８】
その中、指示情報初期位置は事前定義のＣＣＥ番号で、指示情報が連続的なＣＣＥに積載され、且つ指示情報初期位置のＣＣＥ番号は使用されるＣＣＥの数の整数倍である。その模式図について図６を参照する。本実施例において、指示情報の初期位置は以下のような配置方式があってもよい。
【００９９】
方法１、指示情報の初期位置はＣＣＥ番号の最初に位置する。
方法２、指示情報の初期位置はＣＣＥ番号の最後に位置する。
方法３、指示情報の初期位置は、３ＧＰＰ  ＴＳ  ３６．２１３におけるＰＤＣＣＨの公共検索空間位置アルゴリズムにより、算出した所定の位置のいずれか１つを事前に定義する。
【０１００】
実際の応用について、ＵＥがＣＣＥにおけるデ−タを取得し、事前定義された位置から符号化された指示情報デ−タを取り出し、デコードしてから指示情報を取得する。
【０１０１】
実施例１１：本例において指示情報にＣＲＣが追加されている。
ＵＥにより制御チャネルを検出する旨の指示情報にＣＲＣが追加され、コーディングしてから、ＰＤＣＣＨの使用する論理リソースＣＣＥに積載し、チャネル化処理されてから、送信する。具体的な処理プロセスは図７に示すように、以下のようなステップを含む。
【０１０２】
制御チャネル指示情報は制御チャネル指示情報のみによりＣＲＣを計算し、制御チャネル指示情報の後ろに追加する。
制御チャネル指示情報+ＣＲＣをチャネル化処理をする。
ＣＣＥ上のデ−タをスクランブリングする。
さらに変調、レイヤマッピング、及びアンテナポートにおけるデ−タへのマッピング、並びにアンテナポートにおけるデ−タから物理リソースへのマッピングをしてから、ＵＥに送信する。
【０１０３】
本実施例において、指示情報が連続的なＣＣＥに積載され、且つ指示情報の初期位置のＣＣＥ番号は使用されるＣＣＥの数の整数倍である。指示情報の初期位置は事前定義された少なくとも１つのＣＣＥ番号における１つである。その模式図は図８に示す通りである。
【０１０４】
本実施例において、如何にして指示情報の位置を決定するかは、以下のように、２種類の処理方式がある。
【０１０５】
方法１、ＵＥが制御チャネルを検出する旨の指示情報によりＣＲＣを算出し、ＵＥが制御チャネルを検出する旨の指示情報にＣＲＣが追加され、符号化してから、ＰＤＣＣＨの使用する論理リソースＣＣＥに積載し、チャネル化処理されてから、送信する。指示情報が連続的なＣＣＥに積載し、且つ指示情報初期位置のＣＣＥ番号は使用されるＣＣＥの数の整数倍である。指示情報初期位置は事前定義したＣＣＥ番号で、事前定義した指示情報初期位置は１つのＣＣＥ番号のみであり、指示情報の初期位置がＣＣＥ番号の最初、又は指示情報の初期位置がＣＣＥ番号の最後、或いは指示情報の初期位置は３ＧＰＰ  ＴＳ  ３６．２１３におけるＰＤＣＣＨの公共検索空間位置算法アルゴリズムにより算出した所定の位置のいずれか１つを事前に定義する。
【０１０６】
方法２、ＵＥが制御チャネルを検出する旨の指示情報により計算しＣＲＣが得られ、ＵＥにより制御チャネル検出する旨の指示情報にＣＲＣが追加され、符号化してから、ＰＤＣＣＨの使用する論理リソースＣＣＥに積載し、チャネル化処理されてから、送信する。指示情報が連続的なＣＣＥに積載し、且つ指示情報初期位置のＣＣＥ番号は使用されるＣＣＥの数の整数倍である。指示情報初期位置は事前定義された少なくとも１つのＣＣＥ位置における１つで、事前定義した指示情報初期位置は１つのＣＣＥ番号を超えるもので、ＵＥは基地局がどの位置を使用するかを事前決定せず、事前定義した指示情報初期位置は３ＧＰＰ  ＴＳ  ３６．２１３におけるＰＤＣＣＨの公共検索空間位置アルゴリズムにより計算する。
【０１０７】
実際の応用について、ＵＥがＣＣＥにおけるデ−タを取得し、可能な幾つかの位置から符号化された指示情報デ−タを順番に取り出し、デコードしてからＣＲＣにより指示情報デ−タをチェックし、チェックにパスした指示情報デ−タは、目標となる指示情報デ−タである。
【０１０８】
実施例１２：本例において指示情報と他の制御情報とともにＣＲＣが追加されない。
【０１０９】
ＵＥにより制御チャネルを検出する旨の指示情報と他の制御情報とともにＣＲＣが追加され、符号化してから、ＰＤＣＣＨの使用する論理リソースＣＣＥに積載し、チャネル化処理されてから、送信する。具体的な処理プロセスは図９に示すように、以下のようなステップを含む。
他の情報+制御チャネル指示情報によりＣＲＣを計算し、ＣＲＣを他の情報+制御チャネル指示情報の後ろに追加する。
他の情報+制御チャネル指示情報+ＣＲＣをチャネル誤り訂正符号化をする。
それをＰＤＣＣＨの論理ユニットＣＣＥに積載する。
ＣＣＥ上のデ−タをスクランブリングする。
さらに変調、レイヤマッピング、及びアンテナポートにおけるデ−タへのマッピング、並びにアンテナポートにおけるデ−タから物理リソースへのマッピングをしてから、ＵＥに送信する。
【０１１０】
指示情報が連続的なＣＣＥに積載し、且つ指示情報初期位置のＣＣＥ番号は使用されるＣＣＥの数の整数倍である。指示情報の初期位置は事前定義された少なくとも１つのＣＣＥ番号における１つである。その模式図は図１０に示す通りである。
【０１１１】
本実施例において、如何にして指示情報の位置を決定するかは、以下のように、２種類の処理方式がある。
【０１１２】
方法１、ＵＥにより制御チャネルを検出する旨の指示情報及び他の制御情報によりＣＲＣを算出し、ＵＥにより制御チャネルを検出する旨の指示情報と他の制御情報にＣＲＣが追加され、符号化してから、ＰＤＣＣＨの使用する論理リソースＣＣＥに積載し、チャネル化処理されてから、送信する。指示情報が連続的なＣＣＥに積載し、且つ指示情報初期位置のＣＣＥ番号は使用されるＣＣＥの数の整数倍である。指示情報初期位置は事前定義したＣＣＥ番号で、事前定義した指示情報初期位置は１つのＣＣＥ番号のみであり、指示情報の初期位置がＣＣＥ番号の最初に位置する、又は指示情報の初期位置がＣＣＥ番号の最後に位置する、或いは指示情報の初期位置は３ＧＰＰ  ＴＳ  ３６．２１３におけるＰＤＣＣＨの公共検索空間位置算法アルゴリズムにより、算出した位置のいずれか１つを事前に定義する。
【０１１３】
方法２、ＵＥにより制御チャネルを検出する旨の指示情報及び他の制御情報によりＣＲＣを算出し、ＵＥにより制御チャネルを検出する旨の指示情報と他の制御情報にＣＲＣが追加され、符号化してから、ＰＤＣＣＨの使用する論理リソースＣＣＥに積載し、チャネル化処理されてから、送信する。指示情報が連続的なＣＣＥに積載し、且つ指示情報初期位置のＣＣＥ番号は使用されるＣＣＥの数の整数倍である。指示情報初期位置は事前定義された少なくとも１つのＣＣＥ位置における１つで、事前定義した指示情報初期位置は１つのＣＣＥ番号を超えるもので、ＵＥは基地局がどの位置を使用するかを事前決定せず、事前定義した指示情報初期位置は３ＧＰＰ  ＴＳ  ３６．２１３におけるＰＤＣＣＨの公共検索空間位置アルゴリズムにより計算する。
【０１１４】
実際の応用について、ＵＥがＣＣＥにおけるデ−タを取得し、可能な幾つかの位置から符号化された指示情報と他の制御情報との共通デ−タを順番に取り出し、デコードしてからＣＲＣにより指示情報と他の制御情報との共通デ−タをチェックし、チェックにパスした指示情報デ−タは、目標となる指示情報と他の制御情報との共通デ−タであり、さらに共通デ−タから制御チャネルの指示情報を取得する。
【０１１５】
場面２：ＵＥにより制御チャネルを検出する旨の指示情報をＰＤＳＣＨにおけるリソース（ＰＤＣＣＨの占用するＯＦＤＭ符号以外の、他の余りのＯＦＤＭ符号リソース）に積載し、チャネル化処理されてから、送信する。
【０１１６】
実施例１３：本例において、指示情報がＰＤＳＣＨにおけるリソースに積載される。
【０１１７】
ＵＥにより制御チャネルを検出する旨の指示情報をＰＤＳＣＨにおけるリソースＣＣＥに積載し、チャネル化処理されてから、送信する。アンテナポートにマッピングされたデ−タをＰＤＳＣＨエリアにおける所定の位置にマッピングする。当該所定の位置はシステムの帯域幅、及びセルＩＤに関係付けるものである。
【０１１８】
アンテナポートにマッピングされたデ−タをＰＤＳＣＨエリアにおける所定の位置にマッピングすることの詳しいマッピング方法は以下のとおりである。
ＵＥにより制御チャネルを検出する旨の指示情報をＰＤＳＣＨにおけるリソースＣＣＥに積載し、チャネル化処理されてから、送信する。アンテナポートにマッピングされたデ−タをＰＤＳＣＨエリアにおける所定の位置にマッピングする。当該所定の位置はシステムの帯域幅、及びセルＩＤに関係付けるものである。近接リソースの割り当て単位にｍ３個の符号を含み（このｍ３個の符号は近接のリソースに積載し、分離できない、または大きく間隔してはならないことを意味する）、Ｐ（マッピングする符号の単位）とし、近接リソース単位(リソース単位：１つの単位にて提供されるマッピング可能なリソースは近接なものである)をＱとし、ｍ３個の符号に対するマッピングを提供可能である。アンテナポートにおけるマッピング待ちの符号はｎ３個のＰで、ＰＤＳＣＨにて制限した提供可能なマッピングのリソースはｎ４個のＱで、その中ｎ４≧ｎ３、ｎ３個のＰがｎ４個のＱにてならべて等間隔でマッピングするべきである。その中、ｍ３は、事前に定義したものである。マッピング後のリソース模式図は図１１に示す通りである。 
【０１１９】
実施例１４
ＵＥにより制御チャネルを検出する旨の指示情報をＰＤＳＣＨにおけるリソースＣＣＥに積載し、チャネル化処理されてから、送信する。制御チャネル指示情報は２ｂｉｔで、(３，２)ブロック符号によりチャネル符号化をして、さらにｋ回繰り返して、符号化された指示情報デ−タが得られる。ただし、ｋの値は関連プロトコル或いは他の状況により決定されるもので、１０〜２０の整数であることが好ましく、プロトコル又はリソースが異なる場合、ｋの上限は３０、４０、５０、６０、さらにこれ以上になり、その下限は例えば０〜９のいずれかの数値というような１０未満の整数になる場合もある。
【０１２０】
実施例１５
ＵＥにより制御チャネルを検出する旨の指示情報をＰＤＳＣＨにおけるリソースＣＣＥに積載し、チャネル化処理されてから、送信する。制御チャネル指示情報は３ｂｉｔで、(４，３)ブロック符号によりチャネル符号化をして、さらにｋ回繰り返して、符号化された指示情報デ−タが得られる。ｋの値は１０〜２０の整数である。
【０１２１】
同一の発明構想に基づき、本発明の実施例において、さらに制御チャネルを指示する装置を提供し、その構造を示す図は図１２に示すように、処理モジュール１２０１と送信モジュール１２０２を含む。
処理モジュール１２０１は、制御チャネルエリア又は制御チャネルを指示する指示情報に対してチャネル化処理するように設置され、前記制御チャネルは、新たに増加した制御チャネルエリア又は物理下り共有チャネルＰＤＳＣＨリソースにて開拓した新しい伝送制御情報のリソースにおける制御チャネルである。
送信モジュール１２０２は、処理モジュール１２０１に接続し、処理後の指示情報をユーザ装置ＵＥに送信するように設置される。
【０１２２】
１つの実施例において、処理モジュール１２０１は、さらに指示情報を所定の物理又は論理リソースに積載するように配置されることが好ましい。
【０１２３】
１つの実施例において、処理モジュール１２０１は、さらに指示情報を下記少なくとも１つの物理又は論理リソースに積載されるように配置されることが好ましい。
【０１２４】
指示情報は単独で物理又は論理リソースに積載される。
指示情報は巡回チェックサムＣＲＣ付きで物理或いは論理リソースに積載される。
指示情報と他の制御情報とともにＣＲＣ付きで物理或いは論理リソースも積載される。
【０１２５】
１つの実施例において、処理モジュール１２０１は、さらに、指示情報がＣＣＥに積載されるとき、指示情報を連続的なＣＣＥに積載し、指示情報の初期位置は事前に定義した少なくとも１つのＣＣＥ番号の中の１つであり、事前に定義したＣＣＥは前記指示情報を積載するＣＣＥの数の整数倍であるように配置されることが好ましい。
１つの実施例において、処理モジュール１２０１は、指示情報がＰＤＳＣＨ上のリソースに積載される場合、アンテナポートにマッピングした指示情報のデ−タをＰＤＳＣＨエリアにおける所定の位置にマッピングして、前記所定の位置は現在システムの帯域幅及びセルのアイデンティティＩＤにより決定されるように配置されることが好ましい。
【０１２６】
１つの実施例において、前記処理モジュール１２０１は、さらにマッピング待ちの符号をグルーピングして、それぞれのグループにｍ３個の符号を含み、それぞれのグループ符号ごとが１つの近接リソース単位に対応するようにマッピングして、ｍ３は所定の数で、前記マッピング待ち符号をマッピングする近接リソース単位間の間隔は所定の間隔であるように配置されることが好ましい。
【０１２７】
以上の説明から明らかなように、本発明は以下のような技術効果を実現できる。
【０１２８】
本発明の実施例において、ＵＥが新しい制御リソースにおける情報を正確且つ便利に受信することを確保するために、新しい指示情報を設定し、新しい指示情報で制御情報を指示し、後続のＵＥが指示情報により、制御情報を検出することができ、新しいリソースにおける情報の正確且つ便利な受信が実現できる。
【０１２９】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。そして、ある状況で、前記と違う順番で実行ことにより示す又は記載するステップにより、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【０１３０】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
2014526208.tif 000007
【図２】
2014526208.tif 000008
【図３】
2014526208.tif 000009
【図４】
2014526208.tif 000010
【図５】
2014526208.tif 000011
【図６】
2014526208.tif 000012
【図７】
2014526208.tif 000013
【図８】
2014526208.tif 000014
【図９】
2014526208.tif 000015
【図１０】
2014526208.tif 000016
【図１１】
2014526208.tif 000017
【図１２】
2014526208.tif 000018
【国際調査報告】
2014526208.tif 000019
2014526208.tif 000020
2014526208.tif 000021
2014526208.tif 000022